(57)【要約】【課題】容器底部の全長にわたり水路を確保可能で、容器全域での根腐れを防止でき、複数の液肥などを必要時に必要な分量だけ個別に容器底部から土壌に供給可能な栽培容器を提供する。【解決手段】底板１２の上面に側板１１より低い複数のリブ１５を、底板１２の幅方向へ離間し、底板１２の全長にわたり突設させたので、各リブ１５上に防根シート２３を敷設して人工土壌２４を投入すれば、容器底部の全長にわたり水路２５を確保できる。よって、人工土壌２４に過剰給水しても容器全域で根腐れを防げる。また、各水路２５に液肥を流し、給水布などで水路２５内の液体を人工土壌２４に導けば、容器本体１３の全長にわたって液肥や薬剤を必要時に必要な分量だけその底部から個別に人工土壌２４に導入できる。これにより、栽培中の植物の栄養不足や各種の病気による枯れを防止できる。【選択図】図１
2009089691.tif 000002
【特許請求の範囲】
【請求項１】
平行に離間した一対の側板の下端部を底板により連結し、長さ方向の両端面および上面がそれぞれ開口した樋状の容器本体と、
該容器本体の長さ方向の両端面を塞ぐ、該容器本体とは別体の一対の蓋板とを備え、
前記底板の上面には、前記側板の高さより高さが低い複数のリブが、前記底板の幅方向へ互いに離間し、かつ該底板の長さ方向に突設された栽培容器。
【請求項２】
前記リブの高さは、前記側板の高さの１０〜５０％である請求項１に記載の栽培容器に記載の栽培容器。
【請求項３】
平行に離間した一対の側板の下端部を底板により連結し、長さ方向の両端面および上面がそれぞれ開口した複数の樋状の容器本体と、
該容器本体の長さ方向の端面を塞ぐ、該容器本体とは別体の一対の蓋板と、
連通口を有し、かつ隣り合う前記容器本体の長さ方向の端部同士を連通するジョイント部材とを備え、
前記底板の上面には、前記側板の高さより高さが低い複数のリブが、前記底板の幅方向へ互いに離間した状態で該底板の全長にわたって突設された緑化システム。
【請求項４】
前記リブの高さは、前記側板の高さの１０〜５０％である請求項３に記載の緑化システム。
【請求項５】
前記ジョイント部材は、前記隣接する容器本体の長さ方向の端面を直角に連通する直角ジョイント部材である請求項３または請求項４に記載の緑化システム。
【発明の詳細な説明】
【技術分野】
【０００１】
この発明は栽培容器および緑化システム、詳しくは例えばベランダやビルの屋上などで植物の栽培を行える栽培容器および緑化システムに関する。
【背景技術】
【０００２】
従来、ベランダやビルの屋上などで植物を栽培する栽培容器としては、例えば特許文献１のプランターが知られている。
これは、底壁部と４枚の側壁部からなる箱形のプランター本体と、プランター本体の底壁部に設けられた給水パイプおよび排水パイプとから構成され、排水パイプの排水口を底面から所定高さに位置させた水耕栽培用の容器である。プランター本体内に所定高さまで人工土壌を充填し、樹木や草花等の植物を植栽する。この構成により、各プランターの移動やデザイン配置の変更が容易になる。しかも、給水パイプおよび排水パイプにより、隣接するプランター本体を連通することで、全てのプランターに対して水管理が簡単かつ一括して行うことができる植物栽培装置が組み立てられていた。
【０００３】
【特許文献１】特開平１０−２４３７３７号公報
【発明の開示】
【発明が解決しようとする課題】
【０００４】
しかしながら、特許文献１のプランターでは、底壁部の上面に人工土壌を直接積み上げて充填していた。そのため、人工土壌の水はけが悪く、栽培中の植物が根腐れを起こし易かった。また、容器底部が区画されていないので、自然薯および山芋類を複数本栽培するとき、互いに絡まり合うなどの不都合が生じていた。さらに、栽培している植物の状態に応じて、複数の液肥および薬剤等を必要時に必要な分量だけ、容器全長にわたって人工土壌に供給することができなかった。そのため、植物が栄養不足になったり、各種の植物の病気が治らず、枯れてしまうというおそれがあった。
【０００５】
また、植物栽培装置の組み立て時には、隣接するプランターの間で、それぞれの底壁部に配設された給水パイプ同士および排水パイプ同士を互いに連通させていた。そのため、この連結作業が面倒で手間を要していた。そして、底壁部には２種類のパイプが配設されているため、誤って給水パイプと排水パイプと連通してしまい、全てのプランターの水管理を一括して行うことができなくなるおそれがあった。
【０００６】
この発明は、容器底部にその全長にわたって水路を確保することが可能で、これにより容器全域において植物の根腐れを防止することができ、また複数の液肥および薬剤を必要時に必要な分量だけ、容器全長の土壌に対してそれぞれ個別に容器底部から供給することができる栽培容器を提供することを目的としている。
また、この発明は、本体容器のデザイン配置の変更が容易で、かつ組み立て作業が容易であるとともに、ジョイント部材により連通するだけで、全ての容器本体に対しての水管理を確実に一括して行うことができる緑化システムを提供することを目的としている。
【課題を解決するための手段】
【０００７】
請求項１に記載の発明は、平行に離間した一対の側板の下端部を底板により連結し、長さ方向の両端面および上面がそれぞれ開口した樋状の容器本体と、該容器本体の長さ方向の両端面を塞ぐ、該容器本体とは別体の一対の蓋板とを備え、前記底板の上面には、前記側板の高さより高さが低い複数のリブが、前記底板の幅方向へ互いに離間し、かつ該底板の長さ方向に突設された栽培容器である。
【０００８】
請求項１に記載の発明によれば、底板の上面に対して、側板の高さより高さが低い複数のリブを、底板の幅方向へ互いに離間し、かつ底板の全長にわたって突設させたので、例えば各リブ上に透水性を有する防根シート（ネット）を敷設して土壌を投入することで、容器底部の全長にわたって、水路を確保することが可能である。これにより、仮に土壌への給水が過剰であっても、容器全域において植物の根腐れが低減する。
また、各リブ間の通路（液路）に液肥や薬剤を流し、防根シートを貫通させた給水布などを用いて、通路内の液体を土壌に導くようにすれば、容器本体の全長にわたる土壌に対して、１種類または複数種類の液肥や薬剤を、必要時に必要な分量だけ容器本体の底部から個別に導入できる。これにより、栽培中の植物が栄養不足になったり、各種の病気が治らずに枯れるという事態を防止することができる。
【０００９】
栽培容器としては、例えばプランタなどが挙げられる。
容器本体および蓋体の素材としては、例えば塩化ビニール樹脂、ＡＢＳ樹脂などの硬質かつ高強度の合成樹脂、木材、金属などを採用することができる。容器本体の形状は樋状であれば任意である。両側板の高さは同じである方が好ましいものの、屋根設置用の場合には高さが異なってもよい。
容器本体が樋状とは、容器本体の長さ方向に直交する断面形状が、上向き略コの字状を意味する。
リブの形成数は２つ以上であれば任意である。複数としたのは、リブ上に例えば防根シートを敷設したとき、防根シートの安定性を良くするためである。防根シート（ネット）としては、不織布、網布、金網、木製網、セラミックス網などを採用することができる。
リブの高さは、側板の高さより低ければ任意である。
【００１０】
蓋板は、容器本体の長さ方向の両端部または一端部に着脱自在に設けられても、分離不能に設けられてもよい。
容器本体には人工土壌が投入（堆積）される。人工土壌としては、例えば不織布、発泡スチロール、発泡ポリエチレン、パーライト、木材チップ、竹チップ、発泡ガラスなどを採用することができる。
栽培される植物の種類としては、例えばビルの屋上用が芝生、クローバ、ベビーサンローズなどの背丈が低い植物である。また、ベランダ用および窓際用が、蔓植物、自然薯、朝顔、ゴーヤ、キューリなどである。
容器本体は、長さ方向と幅方向とにそれぞれ任意に連結して使用することができる。
【００１１】
請求項２に記載の発明は、前記リブの高さは、前記側板の高さの１０〜５０％である請求項１に記載の栽培容器に記載の栽培容器である。
【００１２】
リブの高さが側板の高さの１０％未満では、給水などの作業頻度が高まる。また、５０％を超えると、根腐れし易くなる。リブの好ましい高さは、側板の高さの３０％前後である。この範囲であれば、良好な作業性と根腐れ防止効果の両方が得られる。
【００１３】
請求項３に記載の発明は、平行に離間した一対の側板の下端部を底板により連結し、長さ方向の両端面および上面がそれぞれ開口した複数の樋状の容器本体と、該容器本体の長さ方向の端面を塞ぐ、該容器本体とは別体の一対の蓋板と、連通口を有し、かつ隣り合う前記容器本体の長さ方向の端部同士を連通するジョイント部材とを備え、前記底板の上面には、前記側板の高さより高さが低い複数のリブが、前記底板の幅方向へ互いに離間した状態で該底板の全長にわたって突設された緑化システムである。
【００１４】
請求項３に記載の発明によれば、例えばビル屋上の外縁に沿って、複数の容器本体に対して、隣り合う容器本体の長さ方向の端部同士をジョイント部材により順次連結していく。このとき、各ジョイント部材は連通口を有している。そのため、連結後の容器本体の内部空間同士は、連通口を介して互いに連通状態となる。その結果、ビルの屋上に植物栽培用の緑化システムを配備することができる。これにより、デザイン配置の変更が容易で、かつ組み立て作業が容易であるとともに、ジョイント部材による連通作業を行うだけで、全ての容器本体に対する水管理を一括して確実に行うことができる。
【００１５】
ジョイント部材の素材としては、例えば容器本体および蓋体の素材と同じものを採用することができる。
ジョイント部材の形状は、連通口を有し、隣接する容器本体を連通可能であれば任意である。例えば板形状、枠形状などでもよい。
ジョイント部材による容器本体の連結角度は、例えば９０°、４５°など任意である。連結方向も、容器本体の長さ方向でも、高さ方向でもよい。容器本体の連結数も２つ以上であれば任意である。
連通口の形状としては、例えば円形、楕円形、三角形状の多角形などを採用することができる。連通口の大きさは任意である。例えば、容器本体の長さ方向の端面と略同じでもよいし、それより小さくてもよい。連通口を形成した数は１つでも複数でもよい。
【００１６】
請求項４に記載の発明は、前記リブの高さは、前記側板の高さの１０〜５０％である請求項３に記載の緑化システムである。
【００１７】
請求項５に記載の発明は、前記ジョイント部材は、前記隣接する容器本体の長さ方向の端面を直角に連通する直角ジョイント部材である請求項３または請求項４に記載の緑化システムである。
【００１８】
請求項５に記載の発明によれば、隣接する容器本体の長さ方向の端面を、直角ジョイント部材より直角に連通する。これにより、緑化システムの設置デザインの自由度をさらに高めることができる。
【発明の効果】
【００１９】
請求項１および請求項３に記載の発明によれば、底板の上面に側板より高さが低い複数のリブを、底板の幅方向へ互いに離間し、かつ底板の全長にわたって突設させたので、例えば各リブ上に例えば防根シートを敷設して土壌を投入すれば、容器底部の全長にわたって水路を確保することができる。その結果、仮に土壌に過剰な給水を行っても、容器全域での植物の根腐れを低減することができる。
また、各リブ間の通路に液肥や薬剤を流し、防根シートを貫通させた給水布などを用いて、通路内の液体を土壌に導くようにすれば、容器本体の全長にわたる土壌に対して、１種類または複数種類の液肥や薬剤を、必要時に必要な分量だけ容器本体の底部から個別に導入することができる。これにより、栽培中の植物の栄養不足や各種の病気による枯れを防止することができる。
【００２０】
特に、請求項３に記載の発明によれば、複数の容器本体に対して、隣り合う容器本体の長さ方向の端部同士をジョイント部材により順次連結する際、連結後の容器本体の内部空間同士が、ホースや各ジョイント部材の連通口により連通される。そのため、例えばビル屋上などに植物栽培用の緑化システムを配備することができる。これにより、デザイン配置の変更が容易で、かつ組み立て作業が容易であるとともに、ジョイント部材による連通作業を行うだけで、全ての容器本体に対する水管理を一括して確実に行うことができる。
【００２１】
請求項５に記載の発明によれば、隣接する容器本体の長さ方向の端面を、直角ジョイント部材より直角に連通する。これにより、緑化システムの設置デザインの自由度をさらに高めることができる。
【発明を実施するための最良の形態】
【００２２】
以下、この発明の実施例を具体的に説明する。まず、図１〜図５を参照して、実施例１を説明する。
【実施例１】
【００２３】
図１および図２において、１０はこの発明の実施例１に係る栽培容器である。この栽培容器１０は、平行に離間した一対の側板１１の下端部に底板１２を一体形成し、長さ方向の両端面および上面がそれぞれ開口した樋状の容器本体１３と、容器本体１３の長さ方向の両端面をそれぞれ塞ぐ別体の蓋板１４とを備え、底板１２の上面には、側板１１の高さの約２５％の高さを有した２本のリブ１５が、底板１２の幅方向へ略均等に離間し、かつ底板１２の全長にわたって突設された容器である。
【００２４】
以下、これらの構成体を具体的に説明する。
図１及び図２に示すように、容器本体１３は押出成形された樋状のプラスチック製の部材で、長さ方向の一方から端面視して上向きコの字形を有している。底板１２の幅方向の両端部の裏面には、短尺な一対の脚板１６が、底板１２の長さ方向の全長にわたって配設されている。両側板１１の厚さおよび底板１２の厚さは、それぞれ２ｍｍで、カッタナイフにより容易に切断可能となっている。
両側板１１は同一寸法の横長な板で、両側板１１の下端部の容器内側には、上方へ向かって除々に肉薄となる法部１７が、両側板１１の長さ方向の全長にわたってそれぞれ形成されている。両側板１１の各下端面（法部１７の端面）には、法部１７の全長にわたってビス孔１８がそれぞれ形成されている。また、両側板１１の上端部には、厚肉なフランジ１９が形成されている。各フランジ１９には、その両端面を貫通してビス孔１８がそれぞれ形成されている。そして、一方のフランジ１９の上面には、嵌合用の凹部２０が形成されている。また、他方のフランジ１９の上面には、前記凹部２０に嵌合可能な形状の凸部２１が形成されている。
【００２５】
両蓋板１４はプラスチック製の厚肉な板で、両フランジ１９を含む容器本体１３の端面の形状と略同じ矩形状を有している。両蓋板１４の四隅には、前記各ビス孔１８に連通する合計４つのビス孔１８がそれぞれ形成されている。両蓋板１４は、連通状態の各ビス孔１８を介して、４本の図示しないビスにより容器本体１３の長さ方向の両端部に締着される。
両蓋板１４の高さ方向の両端部で、かつ蓋板１４の幅方向の中間部の位置には、使い方により給水孔にも排水孔にもなる、貫通孔２２がそれぞれ形成されている。なお、貫通孔２２が形成されていない蓋板１４を採用してもよい。
【００２６】
次に、図１〜図５を参照して、この発明の実施例１に係る栽培容器１０の使用方法を説明する。
図１に示すように、栽培容器１０の使用時には、まず平面視して容器本体１３の上面の開口部の形状と同一寸法の透水性を有する防根シート２３を、各リブ１５の先端に一括して敷設する。その後、防根シート２３の上に人工土壌２４を、側板１１の高さの約６０％になる分量だけ投入する。そして、人工土壌２４にゴーヤ、ネギ、ベビーサンローズなどの植物を植える。人工土壌２４への水道水や雨水の散水は、ジョロなどで容器本体１３の上面の開口を通して行うことができる。
過剰にまかれた水道水や雨水は、防根シート２３を通過して各リブ１５間に形成された水路（通路）２５に滴下される。各水路２５に溜まった水は、適時、両蓋板１４の下側の貫通孔２２を通して排水される。
【００２７】
栽培容器１０として容器本体１３が長尺なものを使用し、ビル屋上階のフロアの一辺に沿って設置してもよい（図３）。また、栽培用の植物としては、例えば自然薯を採用してもよい（図４）。この場合、防根シート２３を使用せず、種芋を各水路２５に載置する。
また、他の栽培容器１０としては、４本の容器本体１３をそれぞれ長さ方向を揃えて連結した４連栽培容器１０Ａを２つ用意し、ビル屋上階のフロアに、両４連栽培容器１０Ａを平面視してＴ字形状となるように設置してもよい（図５）。
【００２８】
次に、図６〜図１３を参照して、この発明の実施例２に係る緑化システムを説明する。
図６および図７において、１０Ｂは実施例２に係る緑化システムで、この緑化システム１０Ｂは、実施例１と同じ容器本体１３と、実施例１と同じ一対の蓋板１４と、連通口３０ａを有し、かつ隣り合う容器本体１３の長さ方向の端部同士を連通するジョイント部材３０とを備えたものである。
使用されるジョイント部材３０は３種類である。具体的には、側面視して上向きコの字形状の枠状直角ジョイント部材３１と、上面および隣接する一対の側面がそれぞれ開口された箱状直角ジョイント部材３２と、一対の容器本体１３を互いの内面同士を対向させて箱状に連結する場合に使用されるレール状ジョイント部材３３である。このうち、枠状直角ジョイント部材３１および箱状直角ジョイント部材３２は、隣接する容器本体１３の長さ方向の端面を直角に連通するジョイントである。
【００２９】
枠状直角ジョイント部材３１は、側面視して上向きコの字形状を有し、隣接する容器本体１３の長さ方向の端面を直角に連通するジョイントである（図８および図９）。枠状直角ジョイント部材３１の具体的な構成は、長さ方向の一端部が略Ｖ字形状に尖り、かつ他端部が略Ｖ字形状に切欠された弓矢の羽根形状の底板３１ａを有し、底板３１ａの長さ方向の両端に、平面視して略Ｌ字形状の一対の側板３１ｂを立設したものである。両側板３１ｂの上端部には、容器本体１３の両側板１１のフランジ１９を挿入する断面コの字形状の外方突出したフランジガイド３１ｃが形成されている。両フランジ１９を両フランジガイド３１ｃに挿入し、かつ枠状直角ジョイント部材３１の連通口３０ａに、突き合わせ側の端部が平面視して４５°にカットされた一対の容器本体１３をそれぞれ装着することで、枠状直角ジョイント部材３１を介して両容器本体１３が９０°の突き合わせ状態で連結される。
【００３０】
また、箱状直角ジョイント部材３２は、隣接する容器本体１３の長さ方向の端面を直角に連通する箱形状のジョイントである（図１０）。箱状直角ジョイント部材３２の具体的な構成は、平面視して正方形の底板３２ａと、底板３２ａの隣接する２辺上に立設された一対の側板３２ｂと、底板１２のうち、２枚の側板３２ｂが連結するコーナーと対峙したコーナーの上面に立設されたガイド支柱３２ｃとから構成されている。箱状直角ジョイント部材３２の連通口３０ａに、突き合わせ側の端部が平面視して４５°にカットされた一対の容器本体１３をそれぞれ装着することで、箱状直角ジョイント部材３２を介して両容器本体１３が９０°の突き合わせ状態で連結される。
さらに、レール状ジョイント部材３３は、一対の容器本体１３を互いの内面同士を対向させて縦長の箱状に連結する際、一方の容器本体１３の凹部２０側のフランジ１９と、他方の容器本体１３の凸部２１側のフランジ１９とを嵌合する樋形状（断面略コの字形状）のジョイントである（図１１および図１２）。
【００３１】
次に、この発明の実施例２に係る緑化システム１０Ｂを、ビル屋上階のフロアのうち、一側部と他側部とに段差を有した一辺に沿って設置する方法を説明する。
予め、図６に示すように、長さ方向の一端部が平面視して４５°にカットされた長尺な一対の容器本体１３と、長さ方向の両端部が平面視して４５°に傾斜カットされた１つの短尺な容器本体１３と、１つの枠状直角ジョイント部材３１と、１つの箱状直角ジョイント部材３２と、一対の蓋板１４とをそれぞれ用意する。
【００３２】
各長尺な容器本体１３の傾斜カットされていない端部に、蓋板１４をそれぞれビス止めする。次に、図６に示すように、ビル屋上階のフロアのうち、一側部と他側部とに段差を有した一辺に沿って、３つの容器本体１３をそれぞれ配設する。すなわち、前記一辺の両端部と対峙する部分に長尺な容器本体１３を配置し、前記一辺の中間部と対峙する部分に短尺な容器本体１３を配置し、次に一方の長尺な容器本体１３の傾斜カット部分と、短尺な容器本体１３の一方の傾斜カット部分とを、前述した方法で枠状直角ジョイント部材３１により連結する。また、他方の長尺な容器本体１３の傾斜カット部分と、短尺な容器本体１３の他方の傾斜カット部分とを、前述した方法で箱状直角ジョイント部材３２により連結する。これにより、ビル屋上階のフロアのうち、一側部と他側部とに段差を有した一辺に、緑化システム１０Ｂが配設される。
【００３３】
また、図１１および図１２に示すように、前記レール状ジョイント部材３３を利用し、自然薯などを縦植えする縦型の栽培容器１０Ｃを組み立てることができる。
具体的には、栽培容器１０Ｃは、幅方向に長い一対の大型の容器本体１３を、互いの内面同士を対向させて箱状に連結し、両容器本体１３の下側の開口部を、平面視して矩形状の蓋板１４により閉蓋したものである（図１１）。一対の容器本体１３を互いの内面同士を対向させて箱状に連結する際、一方の容器本体１３の凹部２０側のフランジ１９と、他方の容器本体１３の凸部２１側のフランジ１９とを嵌合し、両側板１１の嵌合部分をレール状ジョイント部材３３により外方から覆う（図１２）。これにより、上面のみが開口された横長な矩形箱状の容器本体１３が組み立てられる。両フランジ１９を凹部２０と凸部２１との嵌合と、これを覆うレール状ジョイント部材３３による２重嵌合構造としたので、栽培容器１０Ｃに大量の人工土壌２４を投入しても、その人工土壌２４の投入圧により両容器本体１３の嵌合が外れ、栽培容器１０Ｃが壊れるおそれが低減する。
【００３４】
次に、図１３を参照して、別の緑化システムにおける自動給水方法を説明する。
図１３に示すように、使用される別の緑化システム１０Ｄは、２連式の容器本体１３と、これから離反した別の容器本体１３と、散水用の給水ホース３４と、給水ホース３４の途中に設けられ、給水中の水道水に液肥や薬剤を混入する混入装置３５と、２本の排水ホース３６、３７とを有している。３つの容器本体１３は、それぞれ下流に向かって下方傾斜している。
２連式の容器本体１３は、長さ方向の一方の端部がそれぞれ蓋板１４により閉蓋され、かつ長さ方向の突き合わせ側の端部同士が別の蓋板１４を介して連結されたものである。別の容器本体１３は、２連式の容器本体１３側の端面が蓋板１４により閉蓋されたものである。２連式の容器本体１３の下流側の蓋板１４における下側の貫通孔２２と、別の容器本体１３の蓋板１４の下側の貫通孔２２とは、一方の排水ホース３６により連通されている。また、別の容器本体１３における蓋板１４の下側の貫通孔２２には、別の排水ホース３７の元部が連通されている。
【００３５】
給水ホース３４は、元部が水道の蛇口に連通されている。また、給水ホース３４は、２連式の容器本体１３の各蓋板１４に形成された上側の貫通孔２２を通過し、その先端の開口部が、別の容器本体１３の蓋板１４の上側の貫通孔２２から容器本体１３の内部に配置されている。このとき、給水ホース３４のうち、各容器本体１３の内部を通過する部分には、多数の散水孔がそれぞれ形成されている。
別の緑化システム１０Ｄの自動給水方法は、蛇口を開くことで各散水孔から水道水を各容器本体１３内の人工土壌２４に自動的に散水することができる。このとき、混入装置３５の弁３５Ａを開き、液肥や薬剤を水道水に混入してもよい。各容器本体１３内で過剰に散水された水は、防根シート２３を通過して各水路２５に落下し、その後、両排水ホース３６，３７を経て外部へ排出される。
【００３６】
このように、側板１１の高さより高さが低い２つのリブ１５を、容器本体１３の底板１２の上面に、底板１２の幅方向へ互いに離間し、かつ底板１２の全長にわたって突設させたので、例えば各リブ１５上に防根シート２３を敷設して人工土壌２４を投入することで、容器底部の全長にわたって、水路２５を確保することが可能である。これにより、仮に人工土壌２４への給水が過剰であっても、容器全域において植物の根腐れが低減する。
また、例えば、各リブ１５間の水路２５に液肥や薬剤を流し、防根シート２３を貫通させた給水布などを用いて、水路内の液体を人工土壌２４に導くようにすれば、容器本体１３の全長にわたる人工土壌２４に対して、１種類または複数種類の液肥や薬剤を、必要時に必要な分量だけ容器本体１３の底部から個別に導入できる。これにより、栽培中の植物が栄養不足になったり、各種の病気が治らずに枯れるという事態を防止することができる。
【図面の簡単な説明】
【００３７】
【図１】この発明の実施例１に係る栽培容器の使用状態の端面図である。
【図２】この発明の実施例１に係る栽培容器の側面図である。
【図３】この発明の実施例１に係る栽培容器のビル屋上での使用状態を示す平面図である。
【図４】この発明の実施例１に係る栽培容器の別の使用状態の端面図である。
【図５】この発明の実施例１に係る栽培容器の他の使用状態の斜視図である。
【図６】この発明の実施例２に係る緑化システムのビル屋での使用状態を示す平面図である。
【図７】この発明の実施例２に係る緑化システムの各構成部品を示す平面図である。栽培容器の側面図である。
【図８】この発明の実施例２に係る緑化システムの枠状直角ジョイント部材の斜視図である。
【図９】この発明の実施例２に係る緑化システムの枠状直角ジョイント部材の使用状態の平面図である。
【図１０】この発明の実施例２に係る緑化システムの箱状直角ジョイント部材の使用状態の斜視図である。
【図１１】この発明の実施例２に係る緑化システムの構成部品を使用した縦型栽培容器の斜視図である。
【図１２】この発明の実施例２に係る緑化システムのレール状ジョイント部材の使用状態を示す要部拡大平面図である。
【図１３】この発明の実施例２に係る別の緑化システムを示す側面図である。
【符号の説明】
【００３８】
１０，１０Ｃ  栽培容器、
１０Ｂ，１０Ｄ  緑化システム、
１１  側板、
１２  底板、
１３  容器本体、
１４  蓋板、
１５  リブ、
３０  ジョイント部材、
３０ａ  連通口、
３１  枠状直角ジョイント部材、
３２  箱状直角ジョイント部材。
【図１】
2009089691.tif 000003
【図２】
2009089691.tif 000004
【図３】
2009089691.tif 000005
【図４】
2009089691.tif 000006
【図５】
2009089691.tif 000007
【図６】
2009089691.tif 000008
【図７】
2009089691.tif 000009
【図８】
2009089691.tif 000010
【図９】
2009089691.tif 000011
【図１０】
2009089691.tif 000012
【図１１】
2009089691.tif 000013
【図１２】
2009089691.tif 000014
【図１３】
2009089691.tif 000015